(57)【要約】【課題】  折り畳み式バッグを収納する収納用バッグを折り畳み式バッグの収納用バッグとしてだけでなく、収納用バッグ自体を有効に活用可能な折り畳み式バッグセットを提供する。【解決手段】  折り畳み可能な折り畳み式バッグと、折り畳んだ状態の折り畳み式バッグを収納する収納用バッグ５と、を有する折り畳み式バッグセットであって、収納用バッグ５は、広げた状態の折り畳み式バッグを縮小した形状であって、折り畳んだ折り畳み式バッグを収納可能な大きさに形成され、持ち手５５は、本体部５１に取り付けられた少なくとも一端が取付部材５７によって本体部５１に着脱自在に形成されている。【選択図】      図２
0003200065.tif 000002
【実用新案登録請求の範囲】
【請求項１】
折り畳み可能な折り畳み式バッグと、折り畳んだ状態の折り畳み式バッグを収納する収納用バッグと、を有する折り畳み式バッグセットであって、
前記収納用バッグは、広げた状態の前記折り畳み式バッグを縮小した形状であって、
折り畳んだ前記折り畳み式バッグを収納可能な大きさに形成されていることを特徴とする折り畳み式バッグセット。
【請求項２】
前記収納用バッグは、前記折り畳み式バッグが収納される本体部と、該本体部の前記開口部近傍に両端が取り付けられてなる持ち手と、を備え、
前記持ち手は、前記本体部に取り付けられた少なくとも一端が取付部材によって前記本体部に着脱自在に形成されていることを特徴とする請求項１に記載の折り畳み式バッグセット。
【請求項３】
前記本体部には前記持ち手が複数個取り付けられ、
前記取付部材は、本体側に設けられた本体側取付部材と、持ち手側に設けられた持ち手側取付部材とからなり、
前記持ち手に取り付けられた各持ち手側取付部材は、前記本体側に取り付けられた複数の本体側取付部材のいずれにも取り付け可能とされていることを特徴とする請求項２に記載の折り畳み式バッグセット。
【請求項４】
前記持ち手側取付部材同士も固定可能に形成されていることを特徴とする請求項３に記載の折り畳み式バッグセット。
【請求項５】
前記収納用バッグは、１６０ｍｍ×８０ｍｍ×１０ｍｍ以上の容積を有していることを特徴とする請求項１乃至請求項４のいずれか１項に記載の折り畳み式バッグセット。
【考案の詳細な説明】
【技術分野】
【０００１】
本考案は、折り畳み式バッグと、折り畳んだ状態の折り畳み式バッグを収納する収納用バッグと、からなる折り畳み式バッグセットに関する。
【背景技術】
【０００２】
折り畳み式バッグは、エコバッグの普及にも伴って多数の商品が販売されており、様々な提案もなされている。例えば、特許文献１では、底板を利用してコンパクトに収納できる折り畳み式バッグが提案されている。
【先行技術文献】
【特許文献】
【０００３】
【特許文献１】特開２０１４−１１３４２０号公報
【考案の概要】
【考案が解決しようとする課題】
【０００４】
従来の折り畳み式バッグに関する技術では、バッグをコンパクトに収納できるようにするための提案が多くなされている。しかしながら、折り畳み式のバッグを収納する袋や容器は、折り畳み式バッグの使用中は折り畳み式バッグの中に収納したままとするなど有効活用しているものが少なく、容器を持ち手として使用できる物が知られている程度である。すなわち、折り畳み式バッグを収納するための袋や容器の機能性についてまで考えられている提案は非常に少ない。
【０００５】
本考案はこのような従来技術の問題点に鑑みてなされたものであり、折り畳み式バッグを収納する収納用バッグを折り畳み式バッグの収納用バッグとしてだけでなく、収納用バッグ自体を有効活用できる、デザイン性及び機能性に優れた折り畳み式バッグセットを提供することを特徴としている。
【課題を解決するための手段】
【０００６】
本考案は、折り畳み可能な折り畳み式バッグと、折り畳んだ状態の折り畳み式バッグを収納する収納用バッグと、を有する折り畳み式バッグセットであって、前記収納用バッグは、広げた状態の前記折り畳み式バッグを縮小した形状であって、折り畳んだ前記折り畳み式バッグを収納可能な大きさに形成されていることを特徴とする。
【考案の効果】
【０００７】
本考案によれば、折り畳み式バッグを広げることなく収納用バッグの外観で中のバッグがどのような形状か確認することができ、また、収納用バッグのデザイン性も高いため、収納用バッグ自体も収納用具として有効活用することができる。
【図面の簡単な説明】
【０００８】
【図１】本考案の第１の実施の形態の折り畳み式バッグセットの正面図である。
【図２】本考案の第１の実施の形態における収納用バッグの拡大正面図である。
【図３】本考案の第１の実施の形態における収納用バッグの使用状態の説明図である。
【図４】本考案の第１の実施の形態における収納用バッグの使用状態の説明図である。
【図５】本考案の第２の実施の形態の折り畳み式バッグセットの正面図である。
【図６】本考案の第２の実施の形態における収納用バッグの拡大正面図である。
【考案を実施するための形態】
【０００９】
以下、本考案の実施の形態を図に基づいて詳説する。
［第１の実施の形態］
本考案の第１の実施の形態の折り畳み式バッグセット１は、図１に示すように、折り畳み可能な折り畳み式バッグ３と、折り畳んだ状態の折り畳み式バッグ３を収納する収納用バッグ５と、を備える。
【００１０】
本実施形態における折り畳み式バッグ３は、本体部３１から把持部となる持ち手３３，３３が２個設けられており、折り畳み可能なトートバッグのような外観に形成されている。
【００１１】
収納用バッグ５は、折り畳み式バッグ３と略同一の外観（デザイン）を有し、折り畳み式バッグ３のミニチュアのように形成されている。この収納用バッグ５は、図２に示すように、折り畳んだ状態の折り畳み式バッグ３を収納可能な大きさに形成されており、スマートフォンなどを収納できる大きさとされている。具体的なサイズは、折り畳み式バッグ３の形状などによっても変化するため特に制限するものではないが、大きめのスマートフォンであっても収納可能な１６０ｍｍ×８０ｍｍ×１０ｍｍ以上の大きさ（容積）とするのが好適である。なお、１０ｍｍは厚みであるが、１６０ｍｍ×８０ｍｍに関しては縦横などに特に制限は無い。
【００１２】
この収納用バッグ５は、折り畳み式バッグ３等を収納する本体部５１と、この本体部５１の上方に形成された開口部５３と、開口部５３の近傍から外方に突出するように形成された２個の持ち手５５，５５と、を備える。そして、持ち手５５，５５は両端が開口部５３の近傍位置で本体部５１に取り付けられており、少なくとも一端が取付部５６，５６によって着脱自在とされている。この取付部５６，５６は、正面方向から見ると持ち手５５，５５における異なる端部に形成されており、すなわち、図２における手前側に位置する持ち手５５においては右側に取付部５６が形成され、奥側に位置する持ち手においては左側に取付部５６が形成されている。
【００１３】
取付部５６，５６は、本体部５１の近傍に取り付けられた雌部材５８（本体側取付部材）と、持ち手５５の端部に取り付けられた雄部材５９（持ち手側取付部材）とからなる。すなわち、雄部材５９と雌部材５８とで取付部材５７を構成しており、雌部材５８に雄部材５９を差し込むことで固定される。この取付部材５７は、２個の持ち手５５，５５のいずれにも同一規格のものが取り付けられており、いずれかの持ち手５５に取り付けられた雄部材５９は、他の持ち手５５の雌部材５８にも取り付け可能となっている。
【００１４】
このように収納用バッグ５は、持ち手５５，５５の一端が着脱自在となっていることにより、図３に示すように例えば折り畳み式バッグ３の持ち手３３に取り付けたり、取付先を変更することで、図４に示すようにベルトに取り付けたりと、様々な使用方法が可能となる。
【００１５】
以下、本実施形態の折り畳み式バッグセット１の効果について述べる。本実施形態における折り畳み式バッグセット１の収納用バッグ５は、広げた状態の折り畳み式バッグ３を縮小した形状であって、折り畳んだ折り畳み式バッグ３を収納可能な大きさに形成されている。このような構成とすることにより、収納用バッグ５の中に収納された折り畳み式バッグ３を広げることなく、折り畳み式バッグ３の形状がわかるため、形状が異なる複数の折り畳み式バッグセット１があっても、容易に所望のバッグを選択することができる。また、収納用バッグ５の外観は折り畳み式バッグ３の外観と同一であることからデザイン性にも優れており、収納用バッグ５自体も小物入れとして通常のバッグと同様に使用できる。
【００１６】
また、収納用バッグ５の持ち手５５，５５が、本体部５１に取り付けられた少なくとも一端が取付部材５７，５７によって本体部５１に着脱自在に形成されていることにより、収納用バッグ５を容易に所望の部材（他のバッグなど）の所望の位置（持ち手など）に取り付けることができる。
【００１７】
さらに、取付部材５７，５７は、本体部５１側に設けられた本体側取付部材（雌部材５８）と、持ち手側に設けられた持ち手側取付部材（雄部材５９）とからなり、持ち手５５，５５に取り付けられた各取付部材５７，５７は、本体部５１側に取り付けられた複数の本体側取付部材（雌部材５８）のいずれにも取り付け可能とされている。このような構成とすることにより、図４に示したようにベルト７０に取り付けるなど、収納用バッグ５の持ち手５５，５５を状況に応じてアレンジすることが可能となる。
【００１８】
すなわち、図２における表側に位置する持ち手側取付部材を第１持ち手側取付部材、表側に位置する本体側取付部材を第１本体側取付部材とし、後側に位置する持ち手側取付部材を第２持ち手側取付部材、後側に位置する本体側取付部材を第２本体側取付部材とすると、第１持ち手側取付部材と第１本体側取付部材、第２持ち手側取付部材と第２本体側取付部材を接続できるだけでなく、第１持ち手側取付部材と第２本体側取付部材、第２持ち手側取付部材と第１本体側取付部材を接続することもできる。
【００１９】
なお、本実施形態では、本体部５１側に雌部材５８、持ち手側に雄部材５９を設ける物としたが、このような構成に限らず、本体側取付部材同士や持ち手側取付部材同士を固定可能な取付部材としてもよい。このような構成とすることにより、さらに、様々なアレンジが可能となる。例えば２つの持ち手５５，５５を繋げたような形状とすることで持ち手５５を長くしたりすることができる。
【００２０】
また、収納用バッグ５が１６０ｍｍ×８０ｍｍ×１０ｍｍ以上の大きさとすることにより、大型のスマートフォンでも収納できるため、スマートフォン収納バッグとしても使用することができる。
【００２１】
［第２の実施の形態］
本考案の第２の実施の形態における折り畳み式バッグセット１０１は、図５に示すように、リュックサック型の折り畳み式バッグ１０３と、収納用バッグ１０５と、を備える。折り畳み式バッグ１０３と収納用バッグ１０５は、第１の実施の形態と同様に同一の外観（デザイン）に形成されており、収納用バッグ１０５は、折り畳み式バッグ１０３のミニチュアのように形成されている。
【００２２】
収納用バッグ１０５は、第１の実施の形態と同様に、折り畳んだ状態の折り畳み式バッグ１０３が収納可能さ大きさに形成されており、スマートフォンなどを収納できる大きさとされている。そして、収納用バッグ１０５は、本体部１５１と、本体部１５１の背面側に取付けられた２個のショルダー１５３，１５３と、本体部１５１の上端近傍部に形成された把持部（持ち手）１５５と、を備えている。把持部１５５は、一端が取付部材１５７によって着脱自在とされた取付部１５６を備えている。取付部材１５７は、第１の実施の形態と同様に、本体部１５１側に取り付けられた雌部材（本体側取付部材）１５８と、持ち手側に取り付けられた雄部材（持ち手側取付部材）１５９とからなる。
【００２３】
このように収納用バッグ１０５の把持部１５５を形成することにより、収納用バッグ１０５を他の部材に容易に取り付けることができ、例えば、リュックサック型の折り畳み式バッグ１０３に、ミニチュアのような収納用バッグ１０５をぶら下げて使用するなど、デザイン性、機能性に優れた折り畳み式バッグセット１０１を提供できることとなる。
【００２４】
なお、トートバッグタイプとリュックサックタイプについてこれまで述べたが、本考案はこれらに限定されるものではなく、考案の範囲を逸脱しない限り様々な形状のバッグに適用することができる。また、取付部材５７，１５７の形状に関しては、フック状のものなどあらゆる物を使用することができ、上述した雄部材を雌部材に差し込むタイプに限定される物ではない。
【符号の説明】
【００２５】
１  折り畳み式バッグセット
３  折り畳み式バッグ
５  収納用バッグ
３１  本体部（折り畳み式バッグ）
３３  持ち手（折り畳み式バッグ）
５１  本体部（収納用バッグ）
５３  開口部
５５  持ち手（収納用バッグ）
５６  取付部
５７  取付部材
５８  雌部材
５９  雄部材
７０  ベルト
１０１  折り畳み式バッグセット
１０３  折り畳み式バッグ
１０５  収納用バッグ
１５１  本体部
１５３  ショルダー
１５５  持ち手
１５６  取付部
１５７  取付部材
１５８  雌部材
１５９  雄部材
【図１】
0003200065.tif 000003
【図２】
0003200065.tif 000004
【図３】
0003200065.tif 000005
【図４】
0003200065.tif 000006
【図５】
0003200065.tif 000007
【図６】
0003200065.tif 000008